(57)【要約】紙幣アキュムレータは、紙幣投入口を通して紙幣を筐体内側の巻回ドラム上に受容する。筐体は外部形状を初めとする、幾つもの独特の特徴を有している。アキュムレータは本来受動的であってその作動は外部システムにより制御されるが、本アキュムレータは、種々の感知能力と信号処理を含み、アキュムレータの作動を調整する。本発明の好ましい形態によれば、該筐体は筐体内部の目視検査を可能にする透明なパネルを含んでいる。蝶番付きパネルは、閉鎖作動位置と開放サービス位置の間を可動であり、ラッチによって閉鎖作動位置に保たれる。
2005505068.tif 000002
【特許請求の範囲】
【請求項１】
受容される紙幣を通過させる紙幣投入口を持つ筐体と、前記筐体内にあって、紙幣をその上に巻き取るために回転的に駆動可能な巻回ドラムと、前記巻回ドラムに取り付けられ、紙幣を該巻回ドラム上に、あるいは、該巻回ドラムから前記投入口を介して案内するための送りを形成するガイドテープと、前記巻回ドラムの周囲に紙幣および前記ガイドテープを巻き取るべく該巻回ドラムを紙幣受容方向に回転可能に駆動すると共に、前回受容した前記紙幣を前記巻回ドラムから前記紙幣投入口を経て該ガイドテープによって案内させつつ、該巻回ドラム上の前回受容した紙幣を該ガイドテープと共に払い出すべく紙幣払い出し方向に該巻回ドラムを回転可能に駆動するための駆動機構とを有し、前記駆動機構は、前回受容された紙幣を払い出す間に前記ガイドテープが前記巻回ドラムから巻き戻されるように該ガイドテープを蓄えるべく該ガイドテープを追加的に駆動し、前記筐体は、少なくとも一つの観察用透明パネルを有し、該パネルは、前記巻回ドラムと前記ガイドテープを該筐体を通して目視検査可能な大きさに形成されていることを特徴とする紙幣アキュムレータ。
【請求項２】
前記筐体は、先端パネルとサイドパネルとを含み、前記サイドパネルは、透明である請求項１に記載の紙幣アキュムレータ。
【請求項３】
前記筐体は、光トランスミッタからの光を案内すると共に紙幣からの反射された光が光レシーバに照射されることを援助する光素子を内蔵しており、前記光トランスミッタおよび前記光レシーバは、前記紙幣投入口の片側に設けられている請求項１に記載の紙幣アキュムレータ。
【請求項４】
前記筐体は、前記紙幣投入口を中央とする楔形筐体形状を形成するように、該紙幣投入口の付近で後方に角度づけられている請求項１に記載の紙幣アキュムレータ。
【請求項５】
紙幣受容速度および紙幣払い出し速度を測定する速度感知機構を含む請求項１に記載の紙幣アキュムレータ。
【請求項６】
前記速度感知機構は、前記紙幣投入口付近でテープ速度を測定する請求項５に記載の紙幣アキュムレータ。
【請求項７】
電気信号処理機構およびアキュムレータの作動情報が伝送される電気信号機構を含む請求項１に記載の紙幣アキュムレータ。
【請求項８】
前記電気信号機構は、前記アキュムレータに電力を供給するチャネルを含む請求項７に記載の紙幣アキュムレータ。
【請求項９】
前記紙幣アキュムレータは、金融処理装置から該アキュムレータが取り外された後に感知された変化を記録するための自己内蔵型電源および記憶手段を含む請求項８に記載の紙幣アキュムレータ。
【請求項１０】
前記筐体は、前記筐体の作動形状を定義する閉鎖位置から該筐体の内部にアクセス可能な開放サービス位置に可動である取り外し可能なパネルを持つ請求項１に記載の紙幣アキュムレータ。
【請求項１１】
前記可動なパネルは、前記筐体に旋回可能に取り付けられており、その動作の際には前記閉鎖位置と前記開放サービス位置との間を旋回して動く請求項１０に記載の紙幣アキュムレータ。
【請求項１２】
前記可動なパネルと前記筐体は、該パネルを該筐体に対して前記閉鎖位置にラッチするためのラッチ機構を包含している請求項１１に記載の紙幣アキュムレータ。
【請求項１３】
受容される紙幣を通過させる紙幣投入口を持つ筐体と、前記筐体内にあって、紙幣をその上に巻き取るために回転的に駆動可能な巻回ドラムと、前記巻回ドラムに取り付けられ、紙幣を該巻回ドラム上に、あるいは、該巻回ドラムから前記投入口を介して案内するための送りを形成するガイドテープと、前記巻回ドラムの周囲に紙幣および前記ガイドテープを巻き取るべく該巻回ドラムを紙幣受容方向に回転可能に駆動すると共に、前回受容した前記紙幣を前記巻回ドラムから前記紙幣投入口を経て該ガイドテープによって案内させつつ、該巻回ドラム上の前回受容した紙幣を該ガイドテープと共に払い出すべく紙幣払い出し方向に該巻回ドラムを回転可能に駆動するための駆動機構とを有し、前記駆動機構は、前回受容された紙幣を払い出す間に前記ガイドテープが前記巻回ドラムから巻き戻されるように該ガイドテープを蓄えるべく該ガイドテープを追加的に駆動し、前記アキュムレータは、前記アキュムレータの作動状態を測定および検出する複数の電気センサと、前記センサの信号を分析すると共に前記アキュムレータに電力を供給する前記筐体と関連した電気的接続を介して遠隔金融処理プロセッサと通信するための電気信号プロセッサとを含むことを特徴とする紙幣アキュムレータ。
【請求項１４】
前記電気的接続を通して電力が供給されない時に前記アキュムレータに変化を記録するよう前記電気信号プロセッサと関連した個別の電力手段と記憶手段を含む請求項１３に記載の紙幣アキュムレータ。
【請求項１５】
前記電気的接続は、これと電気部品とが係合する時にこれらが協働して電気的接続に圧力をかけるためのバネ性バイアスを発生すべく弾力的に搭載されている請求項１４に記載の紙幣アキュムレータ。
【請求項１６】
紙幣投入口における紙幣の存在および該紙幣投入口での該紙幣の速度を検知するための電気センサを含む請求項１４に記載の紙幣アキュムレータ。
【請求項１７】
前記電気信号プロセッサは、前記駆動機構の速度を外部にて調整するために使用される受容中または払い出し中の紙幣の速度情報を前記電気接続を介して伝送する請求項１６に記載の紙幣アキュムレータ。
【請求項１８】
前記筐体は、アキュムレータの内容を目視するための透明パネルを含む請求項１７に記載の紙幣アキュムレータ。
【請求項１９】
前記透明パネルは、前記紙幣投入口における紙幣の存在を検知するために使用される光センサの一部を形成する請求項１８に記載の紙幣アキュムレータ。
【請求項２０】
前記透明パネルは、蝶番によって前記アキュムレータに取り付けられていると共に、前記筐体をその内部部品を目視可能にする閉鎖位置と該筐体をその内部部品にアクセス可能にする開放位置との間を可動である請求項１８に記載の紙幣アキュムレータ。
【発明の詳細な説明】
【技術分野】
【０００１】
本発明は、紙幣アキュムレータに関するものであり、特に、金融処理装置内にて作動するよう設計され、改良された紙幣アキュムレータに関する。
【背景技術】
【０００２】
紙幣の両替を含む金融処理を完全なものにするように、合理化、効率化への不断の努力がなされている。これら金融処理は、一般的な金銭出納型用途を含み、その場合には、商品の購入に関して、あるいはバンキング機、自動販売機、ゲーム機等、無人自動金融処理のサービスに関して、小売取引へ適用すると、金銭出納係は預け入れ用紙幣を受け取ったり、客より紙幣の供給要求を受けたりすることがある。経済機構の大部分は、金融処理を完全なものにするのに、未だ紙幣の交換を基本としている。
【０００３】
自動販売機とゲーム機は二つの例であり、その場合基本的にユーザから紙幣を受け取るのに使用されてきた紙幣認証機は、紙幣を受容するか、拒否するか、そして紙幣カセットに全ての受容した紙幣を蓄えるかを決定する、一環として紙幣試験を行う。特別な用途によっては、金融処理を完全なものにする為に、これらの装置は、ユーザへどんな交換をも提供する、コイン・ディスペンサと関連付けることが可能である。この種の装置はまた、クレジットカード、デビットカード、チェックカード等種々のタイプのカードを、支払いあるいは配当という択一の形として、容認するよう設計されてきた。
【０００４】
バンキング用途に使用される自動金融機関窓口機等の用途において、当該装置は客への払い出しに利用できる、予め装填された紙幣を蓄えておくことを含む。そういった金融機関窓口機は、とりわけ紙幣供給のための補充といった頻繁なサービスを必要とする。そういった金融機関窓口機は紙幣預け入れを含む、預け入れを受容するよう設計されてはいるが、そういった預け入れは、一般的には包みの中に納められ、別個に処理され、そして再度包みの中の紙幣を取り出し、預け入れられた紙幣の確認をさせるといった、頻繁なサービスを必要とする。
【０００５】
他の金融処理装置が提案され、それには紙幣アキュムレータが含まれ、これらアキュムレータは、紙幣を受け取り、それに続く処理のために紙幣を受容し、貯蔵することが可能である。これら金融処理装置は、紙幣認証機および処理機構を含み、金融処理の一環として受容された紙幣が紙幣アキュムレータに一時的に蓄えられ、将来の払い出しに利用可能であるかどうかを決定する。紙幣アキュムレータに紙幣を受容することができる、そのような金融処理機は、受容された紙幣が効果的に再生利用される可能性があるので、サービスをより必要としない。この種の機械は、自動販売機、ゲーム機用途あるいは他の用途に特に適用され、その場合紙幣は商品あるいはサービスへのクレジット用の機械に提供されることとなる。
【０００６】
該装置によって既に認証された紙幣の、再生利用に関連づけられた問題の一つは、一般の流通での紙幣の品質が千差万別であることである。このように、再生利用される紙幣の品質は変化し、アキュムレータが紙詰まりしたり、あるいは稼動しなくなったりという、それ自体信頼できないという問題が起きてきた。不幸なことには、これは都市部の機械において増加しており、ユーザは装置が機能を果たす場合に容認し、該装置に或る種の紙幣を挿入するので、適切な用途の数もまた、ひどく減少している。もし、処理に問題が発生すると、装置は挿入された紙幣の返却が可能でなければならず、あるいはサービススタッフが介在し、ユーザに適切な補償を提供せねばならない。
【発明の開示】
【発明が解決しようとする課題】
【０００７】
本発明は、上記した幾つもの問題を処理する、改善された紙幣アキュムレータを提供するものである。
【発明の概要】
【０００８】
本発明による紙幣アキュムレータは、紙幣が受容されて通過する紙幣投入口を持つ筐体と、筐体内にあって、紙幣巻取りのための回転駆動可能な巻回ドラムとを包含している。ガイドテープは、巻回ドラムに取り付けられ、巻回ドラムにあるいは巻回ドラムから紙幣を紙幣投入口を通して案内するための送りを形成している。駆動機構は、紙幣を巻き取るように、紙幣受容方向に巻回ドラムと巻回ドラム周囲のテープとを回転駆動し、また、巻回ドラム上の前回受容した紙幣を払い出すように、紙幣払い出し方向に巻回ドラムと前記前回受容した紙幣とを紙幣投入口を通して巻回ドラムから案内するテープを回転駆動する。最後に、受容した紙幣を払い出す際にガイドテープが巻回ドラムより解き放たれるので、該駆動機構はさらに、ガイドテープを蓄えるように、ガイドテープを駆動する。筐体は、巻回ドラムとガイドテープを筐体を通して視覚検査可能にする広さの少なくとも一つの透明観察パネルを有している。
【発明を実施するための最良の形態】
【０００９】
以下、本発明による紙幣アキュムレータについて説明する。
【００１０】
本発明の形態によれば、該筐体は先端パネルと、透明であるサイドパネルとを包含している。
【００１１】
本発明のさらなる形態によれば、該筐体は光トランスミッタから紙幣に指向し、そして光レシーバに反射する光学素子を包含し、その場合光トランスミッタと光レシーバは紙幣と同側に位置する。
【００１２】
本発明の形態によれば、該筐体は、紙幣投入口に付近で後方に角度をなしており、紙幣投入口を中心とする楔形筐体形状を構成している。
【００１３】
本発明のさらなる形態によれば、該アキュムレータは紙幣受容および紙幣払い出し速度を測定する、速度感知機構を含んでいる。
【００１４】
本発明の好ましい形態によれば、該アキュムレータは紙幣投入口に隣接してテープの速度を測定する速度感知機構を含んでいる。
【００１５】
さらにまた、本発明の好ましい形態によれば、該紙幣アキュムレータは電気信号処理機構および電気信号伝送機構を含み、それらを通じアキュムレータの作動情報が伝送される。
【００１６】
本発明の別の形態によれば、該紙幣アキュムレータは金融処理装置から取り外した後の、アキュムレータに感知された変化を記録するための、内蔵された電源と記憶手段を包含している。
【００１７】
本発明の形態によれば、該筐体は、筐体の作動形状を明確にする閉鎖位置から、筐体の内部に接近できる開放サービス位置へ可動であって、取り外し可能なパネルをもっている。好ましくは、ラッチ機構が、前記取り外し可能パネルを前記閉鎖位置に持続する。
【００１８】
本発明は、紙幣が受容されて通る紙幣投入口を持つ筐体による紙幣アキュムレータ、筐体内にあって紙幣をその上に巻き取るために回転可能に駆動できる巻回ドラム、巻回ドラムに取り付けられ紙幣を巻回ドラムにあるいは巻回ドラムから案内し紙幣投入口を通して送りを形成するガイドテープ、巻き胴を回転駆動するための駆動機構、を包含している。該駆動機構は、紙幣を巻き取るよう紙幣受容方向に、巻回ドラムと巻回ドラム周囲のテープを駆動し、また、巻回ドラム上の前回受容した紙幣を払い出すよう紙幣払い出し方向に、巻回ドラムと前記前回受容した紙幣を、紙幣投入口を通して巻回ドラムから、案内するテープと共に回転駆動する。最後に受容した紙幣を払い出す際、ガイドテープが巻回ドラムより解き放たれるので、該駆動機構は付加的に、ガイドテープを巻き取るように、ガイドテープを駆動する。該アキュムレータは、アキュムレータの作動状態を測定し検知する複数の電気センサ、センサの信号を分析し筐体と協働する電気的接続を通じての遠隔金融処理装置と通信する電気信号プロセッサ、を包含しており、該電気的接続を通して電力がアキュムレータに供給される。
【００１９】
本発明の形態によれば、該紙幣アキュムレータは、電気的接続を通して電力が供給されない時、アキュムレータへの異変を記録するための、電気信号プロセッサと関連付けられる電力手段と記憶手段を、包含している。
【００２０】
本発明の形態によれば、電気的接続がバネによって取り付けられている。
【００２１】
さらなる本発明の形態によれば、該アキュムレータは、前記紙幣投入口の紙幣と、前記紙幣投入口中の紙幣の速度を検知する電気センサを包含している。
【００２２】
本発明の別の形態によれば、電気信号プロセッサは、電気的接続を通じて受容されるかあるいは払い出される紙幣の速度情報を伝送し、該速度情報は前記駆動機構の速度を外部より調整するのに使用される。
【００２３】
好ましくは、筐体は紙幣感知機構の一環を形成する透明パネルを含む。
【００２４】
本発明の形態によれば、透明なパネルは、紙幣投入口に紙幣の存在を検知するのに、使用される光センサの一環を形成する。
【００２５】
さらなる本発明の形態によれば、透明パネルは、蝶番にてアキュムレータに取り付けられ、筐体内部の部品を見ることができる閉鎖位置と、筐体内部の部品に接近可能となる開放位置の間で可動となっている。
【実施例１】
【００２６】
以下、図面を参照して、本発明による紙幣アキュムレータの実施例について説明する。
【００２７】
図１Ａに示す金融処理システムは、システムの種々の構成部分を取り外し可能に固定するフレーム１３を含んでいる。紙幣は、認証機３を通して送り込まれ、認証機に隣接する後部から吐き出され、放出路に沿って移動する。この放出路は、実質的に垂直であって、ロータリースイッチ７を通る。紙幣アキュムレータ２は、ロータリースイッチ７を通って紙幣放出路に、選択的に連結されている。このように、受容された如何なる紙幣でも、紙幣ディスペンサ５および紙幣積層カセット１５へと、いずれかのアキュムレータへ送られること可能である。各アキュムレータ２は、フレームが放出路に沿って基本的に開放されているので、このフレーム中に取り外し可能に受け留められている。
【００２８】
認証ヘッド３によって一度認証された紙幣は、いずれかのアキュムレータ２に選択的に蓄えられ、もし紙幣が拒絶されたことが判明した場合には、ディスペンサ５を通してユーザに返却され、そして、紙幣カセット１５に送られることが可能となる。基本的にはアキュムレータは紙幣の再循環を可能にするが、紙幣カセット１５は、紙幣を放出路に戻す能力を持っていない。各アキュムレータ２へのモータ駆動は、放出路の側に沿って設けられている。紙幣はまた、アキュムレータの間に送られる。
【００２９】
アキュムレータ２の詳細は図１に示される。各アキュムレータは、不透明サイドパネル２ａと、蝶番付きパネル８および固定され透き通った被覆パネル１０によって規定された透明部とによって囲まれた筐体を有している。この被覆パネル１０は、アキュムレータの周囲に延在し、基本的に蝶番付きパネル８に接している。透明パネル８および１０は、アキュムレータの内部とその作動部品とを、目視検査することを可能にしている。紙幣は、紙幣投入口４を通してアキュムレータに送られる。このアキュムレータは、駆動機構６によって駆動され、紙幣をアキュムレータ内に引き込むか、あるいは、以前に受容された紙幣をアキュムレータから払い出す。紙幣投入口４は、蝶番付きパネル８のフランジ端９と被覆パネル１０のフランジ端１１との間に規定されている。
【００３０】
図２および図３は、アキュムレータの内部作動について図示している。紙幣１２は、このアキュムレータ内に送られ、巻回ドラム２０に巻かれる。このアキュムレータは、紙幣１２の下側面と噛み合う二つのテープ２２と、紙幣の上側面と噛み合う二つのテープ２６とを有している。理解できる通り、これらのテープと紙幣とは、次いで巻回ドラム２０に巻き取られる。各テープ２２は、所定のテープ長さを保持するテープリール２４を持ち、テープ２６は、供給リール２８を有している。各テープ２２および２６は、巻回ドラム２０に確保され、巻回ドラムが紙幣を受容するよう駆動される際に巻回ドラム上に巻き取られる。このように、紙幣は、連続的に巻回ドラム２０上に巻き取られ、テープ２２および２６によって以前受容した紙幣と後に受容した紙幣とに分離される。これらのテープはまた、紙幣が巻回ドラム２０に送られる際に紙幣を制御し、紙幣が巻回ドラムから払い出されて紙幣投入口を経てアキュムレータから導き出される際に紙幣を制御するのに役立つ。
【００３１】
図２はまた、蝶番付きパネル８がどのように解放され、外側に旋回し、ローラ６２および６３間の紙幣送り点により良く接近するかを示している。各テープ２２および２６は、ローラ６０および６４等の幾つかのガイドローラを持つことができ、テープが巻回ドラム上に巻き取られる際、あるいは、テープが供給リール２４および２８に巻き取られる際に、幾つかのガイドローラは、テープの案内役として機能する。
【００３２】
図４に示されるアキュムレータ２は、金融処理装置１の部分である駆動モータ４０に連結するためのスペースを提供する後方に傾斜した壁３１を有している。各アキュムレータは、取り外し可能に装置内に固定されるよう適応しており、また、駆動歯車６によってアキュムレータを駆動するのにモータに連結されている。図４に示されるとおり、モータ４０は、歯車４２と噛み合う駆動歯車４１を含んでいる。この歯車４２は、オーバランニングクラッチ４３ａ経由にて巻回ドラム２０に連結した歯車４３を順に駆動する。このように、巻回ドラム２０は、逆回転可能なモータであるモータ４０によって制御され、駆動される。
【００３３】
図４は、紙幣４６を受容するよう回転する駆動歯車を示している。この形態において、モータ４０と歯車４１の反時計回り方向駆動は、歯車４２を時計回り方向に回転させ、歯車４３を反時計回り方向に回転させる。歯車４３は、歯車４３の時計回り方向回転に関してのみオーバランニングすること可能なオーバランニングクラッチ４３ａを有している。図４に示す回転において、歯車４３は、回転し、歯車４４と噛み合って歯車４４の回転を起こす。歯車４４は、歯車４５と噛み合って歯車４５を回転させる。
【００３４】
駆動歯車４５は、オーバランニングクラッチ４５ａを通して駆動軸４５ｂに連結している。図５に示されるとおり、オーバランニングクラッチ４５ａは、歯車４５が時計回り方向に回転する時に軸４５ｂに噛み合い、軸４５ｂを駆動する。歯車４７は、軸４５ｂに固定され、アキュムレータの向かい側に配置されている。歯車１５１および１５５もまた、アキュムレータの向かい側に配置されている。歯車４５が反時計回り方向に回転すると、全ての歯車は駆動され、供給リール２４および２８は、紙幣を払い出す間、テープを巻き取るよう回転する。
【００３５】
紙幣を受容する際は、図４に示すとおり、巻回ドラム２０は、供給リールから各テープ２２および２６を引き寄せる。この供給リールは、各リールと協働する別の摩擦クラッチ機構のために各軸上を滑ることができる。このようにテープが巻回ドラム２０上に巻かれるので、所定量の引っ張り力がテープに掛けられ、持続されている。理解されるとおり、テープの実際の速度は、モータ４０、蓄えられるテープの直径、および巻回ドラム２０上に巻かれた紙幣によって決定される。摩擦抗力を伴うテープの引き寄せは、アキュムレータの歯車機構を簡素なものにしている。
【００３６】
図４に示されるとおり、紙幣を受容する間、オーバランニングクラッチ４５ａは、軸４５ｂが静止したまま、歯車４５が反時計回り方向に回転することを可能にしている。尚、歯車４７は、静止している。オーバランニングクラッチ１５３は、歯車４５と同じ筐体側に配置されており、筐体および軸１５１ｂに取り付けられている。オーバランニングクラッチの外側ボディはアキュムレータの壁に固定され、クラッチの内側リングは軸１５１ｂに連結されている。この機構によって、軸１５１ｂは、反時計回り方向に回転できるものの、時計回り方向には動けない。これはまた、歯車４７を反時計回り方向に回転不能にし、歯車１５５を時計回り方向に回転不能にしている。
【００３７】
したがって、紙幣を受容中、オーバランニングクラッチ４５ａおよび１５３は、歯車１５１、４７、および１５５を静止状態に保っている。歯車４１、４２、４３、４４、および４５は、モータ速度の関数として回転している。テープ２２および２６は、巻回ドラム２０の関数として引き寄せられている。
【００３８】
図５は、以前巻回ドラム２０上に巻かれた紙幣を払い出す方法で駆動される際のアキュムレータを示している。歯車４５は、一方向クラッチ４５ａを使用して歯車４７に連結される。歯車４７は、歯車１５１および１５５を駆動し、テープを巻く。これが、各軸と各リールの摩擦クラッチによって容認されるリール２４および２８のオーバドライブ関係である。紙幣が払い出される際、このドライブ機構は、テープ速度に関係なく、テープの全てを巻き取り、このテープに明確な引っ張り力を与えるのに十分であることを保証している。巻回ドラム上の紙幣とテープの直径が減少すると、テープに必要な駆動は遅くなり、この結果、クラッチ滑りが多くなる。
【００３９】
テープ２２および２６は、巻回ドラム２０から払い出される際に紙幣を導き、紙幣投入口を通して紙幣を送る。図に見られるとおり、ガイドローラ５１および５３は、紙幣投入口に間近に隣接して位置し、紙幣が紙幣投入口４を通って離れる際に、紙幣は、未だその一部が巻回ドラム上に巻かれている。このように、紙幣に対する制御は、紙幣を受容する間と同様に、紙幣を払い出す間も持続される。
【００４０】
モータ４０に連結している駆動歯車列６の歯車とリール２４および２８とは、紙幣を払い出す間、全て回転している。一方向クラッチ１５３は、滑り、歯車１５１は協働駆動軸を回転可能としている。
【００４１】
オーバランニングクラッチ４３ａは、違った目的を呈している。図１に示すハンドル１５７は、アキュムレータが金融処理装置より取り出された時に、手動にて歯車列を回転させるのに使用される。紙幣を払い出す間、テープ端はリールに固定され、末端停止位置を為している。駆動歯車列が回転し続けると、テープが切断される虞がある。この状態が起きても、オーバランニングクラッチ４３ａおよび４５ａは、歯車４４が自力で回転し続けることを可能にし、したがってアキュムレータを不注意による損傷から防ぐ。
【００４２】
紙幣は、金融処理装置１と協働する放出路に駆動されている一方、アキュムレータに送られるため、紙幣の送り速度は、調整されることが望ましい。モータ４０は、個別に制御され、紙幣送り速度に合致するように、感知されたテープ２２あるいは２６の速度関数として調整される。
【００４３】
モータ４０に制御を与えるために、或る種の情報がアキュムレータにより感知される。特に、図６〜図９に示されるとおり、フランジ９および１１における透明パネル８および１０は、紙幣がアキュムレータに受容される際、あるいは、払い出される際に、紙幣の端を案内および牽引するのを協働して感知可能にしている。この透明パネルは、動作が困難な場合に遭遇すると、特に問題解決の助けとなる。勿論、これら透明パネルが好まれるものの、不透明パネルも使用可能である。パネルが透明の場合には、光トランスミッタや光レシーバ用のレンズとして組み込むこと可能である。
【００４４】
図７に示すとおり、回路ボード９０は、キュムレータの内部に固定され、透明パネル１０に取り付けられている。このプロセッシングボードは、光線１０１を発生して紙幣通路に照射する光出力９２を含んでいる。図９に示すとおり、紙幣が存在する場合には、この光の一部は、紙幣表面で反射し、光レシーバ１０２によって受光される。図８に示すとおり、紙幣が存在しない場合には、光は、チャネルを渡って伝送され、角度付き窪み９３に達する。蝶番付きパネル８中のこの窪みは、蝶番付きパネル８から光レシーバ１０２への光線の直接反射を防ぐのに役立っている。このように、もし紙幣が存在しないと、明確な光線が光レシーバに受光されない。
【００４５】
紙幣運動センサ１０７は、光トランスミッタ９２と光レシーバ１０２との間に位置する。この運動センサは、紙幣がセンサを通過する動きと同様に、紙幣の案内端と牽引端がセンサを通過することを感知する。このセンサは、空気圧感知式であることが好ましい。この方式は、我々の、2002年7月10日出願、表題：扁平物運動センサ、共同米国出願番号10/191,465で公開され、以下、参考として、本稿に組み入れられている。このセンサは、紙幣通路の片側に置かれ、紙幣が紙幣チャネルを通る動きに協働して空気の乱れを感知する。
【００４６】
幾つかの突起タブ９５および９７が、フランジ９および１１と協働しており、この突起タブは、紙幣がロータリースイッチからアキュムレータに、あるいは、アキュムレータからロータリースイッチに送られることを助けている。回路ボード９０はまた、電気コネクタ９９を含んでいる。このコネクタは、電力を回路ボードに供給すると共に、信号がプロセッサボードから処理装置１に伝送されることを可能にしている。また、さらなる光発生器とレシーバが、プロセッシングボード９０と協働する。そこでは、トランスミッタから発される光線がテープ２２の一つに到達する。図１４に示されるとおり、テープ２２は、実質上異なった光線反射特性を持つ終端部２３を包含している。特に、テープのこの部分は黒色である一方、テープの残部は非常に反射的であることが好ましい。黒色であるテープの終端部は紙幣長さよりも長いため、アキュムレータは、このテープ終端部位置が殆どその最大長であることを感知することができる。以前にテープ２２に反射された光線は、基本的には黒色部によって分散され、あるいは、多かれ少なかれ黒色部２３によって吸収され、アキュムレータは、テープが終端部に近づいていることを知ることとなる。このように、アキュムレータは、処理装置に報告を行い、所定の種類の紙幣がそこから払い出されない限り、さらなる紙幣はアキュムレータに受容されない。
【００４７】
図１０および図１１は、テープが遊びローラ５３を通過する際のテープ２２および２４の速度を感知する速度機構を示している。遊びローラ５３は、軸８１に堅固に連結され、速度感知ホイール８３を回転させている。図に見られるとおり、ホイール８３は周縁にスリットを有している。光レシーバ伝送機構８５は、このスリット縁に関連付けられている。ホイール上の複数の突起が光線感知機構間の光線を遮り、これにより、光線を突起によって遮らせるホイール８３の運動の度毎に一回の休止がなされる。これにより、テープ２２の速度を測定するために使用される精度の高い増分信号が得られる。この信号は、次いで処理され、モータ４０は、テープ速度を紙幣駆動通路中の送りと効率的に合致するよう整合される。基本的に、紙幣は、予め決められた凡その速度でアキュムレータに送られ、モータ４０は、アキュムレータが紙幣を適切な速度で受容することを確認し、調整される。モータ４０は、停止／開始というように駆動され、紙幣が紙幣投入口に進入し光線の遮りを引き起こした時に、このモータは、基本的に始動する。モータは、アキュムレータを紙幣受容速度に素早く持って行く。
【００４８】
さらに、この速度機構はまた、紙幣を適度な速度で通路に運び、通路に受容させる。速度センサからの信号は、回路ボード９０により適切に処理されるか、あるいは、アキュムレータと協働する接続線９９を通して金融処理装置に送られる。このアキュムレータは、図１５〜図１７に示されるとおり、側面搭載バネ荷重コネクタ１１５を含む。このコネクタは、処理装置と協働する類似タイプの受け側コネクタと接続される。このバネ荷重されたコネクタは、二つの部品の相互作用を可能にして、所定の電気的接続を達成している。このバネ荷重は、しっくりした位置合わせに必要であろう、コネクタの多少の変動を可能にしている。また、コネクタは、バネによって変位して電気的接続をもたらしている。そして、アキュムレータからの種々の信号は、金融処理装置の制御信号と整合され、所定の同期化を達成する。
【００４９】
図１２および図１３は、アキュムレータが本質的に満杯で、それ以上の紙幣を受容できない時点を決定するための、感知機構を示す。光トランスミッタ１７３は、アキュムレータを横断的に照射する光線を発生する。光線は、光トランスミッタ１７３のレンズ１７５を通して放たれる。図１２において、巻回ドラム２０上に巻かれた紙幣は、巻回ドラムの直径を太らせ、結果として光線を遮ることになる。
【００５０】
図１２における光線は、巻回ドラム２０上に蓄えられた紙幣によって遮られている。光レシーバは、アキュムレータの反対側に位置し、図１３に示すとおりに蓄えられた紙幣が光線を遮らない時に光線を受光する。これは、アキュムレータが満杯状態であることを検知するための簡素な機構を提供している。
【００５１】
図１２および図１３の感知機構は、巻回ドラム上に巻かれた紙幣の収容に必要な余地に基づいて、アキュムレータの満杯状態を感知する簡素な機構を提供している。受容された紙幣を単に計数することは必要な余地を正確には決定できないし、本感知機構は如何なる厚みの紙幣が蓄積されているかに関係なく作動可能であるため、本感知機構が好ましい。理解できるとおりに、紙幣と紙幣との間は勿論のこと、一つの紙幣の中でさえも、相違点が有り得る。アキュムレータが高い汎用性を持つことが好ましいため、蓄えられた紙幣を感知することは、計数機構よりも好ましい。
【００５２】
上述のことから理解できるとおり、紙幣アキュムレータ２は、後刻払い出すべき紙幣を受容し、金融処理装置に紙幣を効率的に払い出すことを可能にしている。紙幣は、アキュムレータによって受容され、あるいは、アキュムレータから払い出されるため、正確な勘定が維持されるように、紙幣アキュムレータは、紙幣の種々の特性を感知する。回路ボード９０はまた、独自の記憶装置を包含し、金融処理装置からアキュムレータが取り外された際のアキュムレータの状態に関する情報を提供し、また、ひとたびアキュムレータが金融処理装置に接続された際の如何なる動きをも記録する。センサに電力を与える小型の電源がまた備えられており、各種動作を測定する。この情報は、万が一、技術者が装置からアキュムレータを初め取り外した際のアキュムレータ中の紙幣数とオーナに後刻に提供された紙幣数との間で食い違いがあった場合に、助けとなる。透明な筐体は、サービススタッフがアキュムレータを根本的に検査してその前に受容された紙幣に関係する問題を速やかに鑑定することを可能にする。これは、ユーザが申し立てた問題を立証するのに非常に役立つことができる。理解できるとおり、ユーザの中には、個人的な利益を得ようと事実を偽って述べる者がいる。透明な筐体は、アキュムレータが取り外された時に全ての関係者によって眺められるので、意見の相違は低減される。
【００５３】
図２に示されているようにラッチ７９の操作手段によって開扉可能な蝶番付きパネル８は、迅速な調整、さらに場合によっては、アキュムレータと処理装置の再設置を可能にしている。蝶番付きパネル８はまた、時々内部の構成部分、ならびに、特に一対のテープ２２および２４への簡便なアクセスを可能とする。
【００５４】
以上、本発明の好ましい種々の実施形態が詳細に述べられたが、当業者であれば、本発明の技術思想または添付特許請求の範囲から逸脱しない範囲内で、種々の変更が可能である。
【図面の簡単な説明】
【００５５】
【図１】紙幣アキュムレータの斜視図である。
【図１Ａ】金融処理装置の側面図である。
【図２】紙幣アキュムレータの種々の部品を示す部分断面図である。
【図３】紙幣アキュムレータの内部稼動部品を示す部分斜視図である。
【図４】アキュムレータの部品による駆動メカニズムを示す紙幣アキュムレータの側面図である．
【図５】紙幣を払い出すよう作動する駆動を示す図４と同様の側面図である。
【図６】アキュムレータへの紙幣投入口を示す部分斜視図である。
【図７】紙幣投入口の部分およびそれと関連する感知機構を示す部分概略図である。
【図８】紙幣感知機構を示す紙幣投入口の部分図である。
【図９】紙幣感知機構を示す紙幣投入口の部分図である。
【図１０】装置の分離されたテープと関連する速度測定機構を示す部分斜視図である。
【図１１】テープ速度感知機構を示す部分平面図である。
【図１２】アキュムレータの満杯を示す位置における感知機構を示す部分端面図である。
【図１３】アキュムレータがさらなる紙幣を後刻受け入れ可能であることを示す図１２と同様の感知アーム図である。
【図１４】テープを簡単に感知する特殊形状をなした分離されたテープの端部を示す部分斜視図である。
【図１５】紙幣アキュムレータの片側に電気コネクタがバネによって取り付けられていることを示す部分端面図である。
【図１６】コネクタが通常位置にある図１５と同様の図である。
【図１７】図１５および図１６による電気的接続の部分斜視図である。
【国際公開パンフレット】
2005505068.tif 000003
2005505068.tif 000004
2005505068.tif 000005
2005505068.tif 000006
2005505068.tif 000007
2005505068.tif 000008
2005505068.tif 000009
2005505068.tif 000010
2005505068.tif 000011
2005505068.tif 000012
2005505068.tif 000013
2005505068.tif 000014
2005505068.tif 000015
2005505068.tif 000016
2005505068.tif 000017
2005505068.tif 000018
2005505068.tif 000019
2005505068.tif 000020
2005505068.tif 000021
2005505068.tif 000022
2005505068.tif 000023
2005505068.tif 000024
2005505068.tif 000025
2005505068.tif 000026
2005505068.tif 000027
2005505068.tif 000028
2005505068.tif 000029
2005505068.tif 000030
2005505068.tif 000031
2005505068.tif 000032
2005505068.tif 000033
2005505068.tif 000034
2005505068.tif 000035
【国際公開パンフレット（コレクトバージョン）】
2005505068.tif 000036
2005505068.tif 000037
【手続補正書】
【提出日】平成15年11月19日(2003.11.19)
【手続補正１】
【補正対象書類名】特許請求の範囲
【補正対象項目名】全文
【補正方法】変更
【補正の内容】
【特許請求の範囲】
【請求項１】
金融処理装置において受領をなすための取り外し可能な紙幣アキュムレータにおいて、前記紙幣アキュムレータは、受容される紙幣を通過させる紙幣投入口を持つ筐体と、前記筐体内にあって、紙幣をその上に巻き取るために回転的に駆動可能な巻回ドラムと、前記巻回ドラムに取り付けられ、紙幣を該巻回ドラム上に、あるいは、該巻回ドラムから前記投入口を介して案内するための送りを形成するガイドテープと、前記巻回ドラムの周囲に紙幣および前記ガイドテープを巻き取るべく該巻回ドラムを紙幣受容方向に回転可能に駆動すると共に、前回受容した前記紙幣を前記巻回ドラムから前記紙幣投入口を経て該ガイドテープによって案内させつつ、該巻回ドラム上の前回受容した紙幣を該ガイドテープと共に払い出すべく紙幣払い出し方向に該巻回ドラムを回転可能に駆動するための駆動機構とを有し、前記駆動機構は、前回受容された紙幣を払い出す間に前記ガイドテープが前記巻回ドラムから巻き戻されるように該ガイドテープを蓄えるべく該ガイドテープを追加的に駆動し、前記紙幣アキュムレータは、前記紙幣投入口付近でテープ速度を測定するための速度感知機構をさらに含んでおり、前記ガイドテープの１つは、前記速度感知機構を通過するものであり、前記速度感知機構を通過する該ガイドテープの動きならびに紙幣受容速度および紙幣払い出し速度に対応するガイドテープ速度を計測することを特徴とする紙幣アキュムレータ。
【請求項２】
前記筐体は、先端パネルとサイドパネルとを含み、前記サイドパネルは、透明である請求項１に記載の紙幣アキュムレータ。
【請求項３】
前記筐体は、光トランスミッタからの光を案内すると共に紙幣からの反射された光が光レシーバに照射されることを援助する光素子を内蔵しており、前記光トランスミッタおよび前記光レシーバは、前記紙幣投入口の片側に設けられている請求項１に記載の紙幣アキュムレータ。
【請求項４】
前記筐体は、前記紙幣投入口を中央とする楔形筐体形状を形成するように、該紙幣投入口の付近で後方に角度づけられている請求項１に記載の紙幣アキュムレータ。
【請求項５】
前記筐体は、少なくとも一つの視覚観察用透明パネルを有し、該パネルは、前記巻回ドラムと前記ガイドテープを該筐体を通して目視検査可能な大きさに形成されている請求項１に記載の紙幣アキュムレータ。
【請求項６】
前記速度感知機構は、該速度感知機構を通過するテープの動きを示す増分信号を生成する請求項１に記載の紙幣アキュムレータ。
【請求項７】
電気信号処理機構およびアキュムレータの作動情報が伝送される電気信号機構を含む請求項１に記載の紙幣アキュムレータ。
【請求項８】
前記電気信号機構は、前記アキュムレータに電力を供給するチャネルを含む請求項７に記載の紙幣アキュムレータ。
【請求項９】
前記紙幣アキュムレータは、金融処理装置から該アキュムレータが取り外された後に感知された変化を記録するための自己内蔵型電源および記憶手段を含む請求項８に記載の紙幣アキュムレータ。
【請求項１０】
前記筐体は、前記筐体の作動形状を定義する閉鎖位置から該筐体の内部にアクセス可能な開放サービス位置に可動である取り外し可能なパネルを持つ請求項１に記載の紙幣アキュムレータ。
【請求項１１】
前記可動なパネルは、前記筐体に旋回可能に取り付けられており、その動作の際には前記閉鎖位置と前記開放サービス位置との間を旋回して動く請求項１０に記載の紙幣アキュムレータ。
【請求項１２】
前記可動なパネルと前記筐体は、該パネルを該筐体に対して前記閉鎖位置にラッチするためのラッチ機構を包含している請求項１１に記載の紙幣アキュムレータ。
【請求項１３】
前記アキュムレータは、前記アキュムレータの作動状態を測定および検出する複数の電気センサと、前記センサの信号を分析すると共に前記アキュムレータに電力を供給する前記筐体と関連した電気的接続を介して遠隔金融処理プロセッサと通信するための電気信号プロセッサとを含むことを特徴とする請求項１に記載の紙幣アキュムレータ。
【請求項１４】
前記電気的接続を通して電力が供給されない時に前記アキュムレータに変化を記録するよう前記電気信号プロセッサと関連した個別の電力手段と記憶手段を含む請求項１３に記載の紙幣アキュムレータ。
【請求項１５】
前記電気的接続は、これと電気部品とが係合する時にこれらが協働して電気的接続に圧力をかけるためのバネ性バイアスを発生すべく弾力的に搭載されている請求項１４に記載の紙幣アキュムレータ。
【請求項１６】
前記電気信号プロセッサは、前記駆動機構の速度を外部にて調整するために使用される受容中または払い出し中の紙幣の速度情報を前記電気接続を介して伝送する請求項１３に記載の紙幣アキュムレータ。
【請求項１７】
前記駆動機構は、前記筐体の外側に位置付けられた複数の駆動歯車を含む請求項１に記載の紙幣アキュムレータ。
【請求項１８】
前記駆動機構は、前記筐体の外側に位置付けられた歯車列を含む請求項１に記載の紙幣アキュムレータ。
【請求項１９】
前記ガイドテープは、受容した紙幣の下面を支持する第１の対のガイドテープと、受容した紙幣の上面を支持する第２の対のガイドテープとを含む請求項１に記載の紙幣アキュムレータ。
【請求項２０】
各前記ガイドテープは、前記駆動機構の駆動軸上に摩擦クラッチを介して搭載された巻回スプールを含んでおり、前記駆動軸は、前記巻回スプールが適切に駆動されて紙幣の払い出し中に前記ガイドドテープにおいて正の張力が維持されるように、オーバドライブされる請求項１９に記載の紙幣アキュムレータ。
【国際調査報告】
2005505068.tif 000038
2005505068.tif 000039
2005505068.tif 000040
2005505068.tif 000041